(57)【要約】【課題】電源がない場所でも使用でき、しかも作業性に優れた移動式足場２０の提供。【解決手段】移動式足場２０は、マスト２８、クライマー３０、デッキ３２、架台３４及び発電機３６を備えている。マスト２８は、鉛直方向に延在している。マスト２８は、ラック４４を備えている。クライマー３０は、モーター及びピニオンを備えている。ピニオンは、ラック４４と噛合している。デッキ３２は、水平方向に延在している。デッキ３２は、クライマー３０に連結されている。架台３４は、クライマー３０の下端に取り付けられている。この架台３０に、発電機３６が載置されている。発電機３６からは、モーターに電力が供給される。モーターの回転によりピニオンが回転し、クライマー３０がマスト２８に沿って昇降する。クライマー３０の昇降により、デッキ３２、架台３４及び発電機３６も昇降する。【選択図】図１
2010270434.tif 000002
【特許請求の範囲】
【請求項１】
実質的に鉛直方向に延びるマストと、
モーターを備えており、このモーターの回転によって上記マストに対して昇降するクライマーと、
実質的に水平方向に延びており、上記クライマーに連結されており、このクライマーと共に昇降するデッキと、
上記クライマーと共に昇降する発電機と
を備えており、
上記モーターが上記発電機から供給される電力によって駆動する昇降式足場。
【請求項２】
上記発電機を遠隔操作するためのコントロールボックスをさらに備えた請求項１に記載の足場。
【請求項３】
上記クライマーに連結された架台をさらに備えており、この架台に上記発電機が載置されており、この架台がトラス構造を有する請求項１又は２に記載の足場。
【請求項４】
上記架台が、クライマーの上方及び下方のいずれにも取り付けられうる形状を有する請求項３に記載の足場。
【発明の詳細な説明】
【技術分野】
【０００１】
本発明は、建物のメンテナンス作業等に用いられる昇降式足場に関する。
【背景技術】
【０００２】
居住用マンション、商用ビル等の建物の外壁のメンテナンス作業に、仮設足場が用いられている。仮設足場は、多数の金属パイプが組み合わせて構成される。仮設足場は、地面から建物の最上部までを覆う。仮設足場の設置には、多大の労力を要する。仮設足場により日光が遮蔽されるので、建物の内部は暗い。仮設足場により、窓からの眺望が損なわれる。作業完了後、仮設足場は解体される。この解体作業にも、多大の労力を要する。
【０００３】
固定式の足場に代えて、図１４に示された昇降式足場２が用いられることがある。この足場２は、マスト４、クライマー６及びデッキ８を備えている。マスト４は、鉛直方向に延在するラック１０を備えている。クライマー６は、モーター１２とピニオン（図示されず）とを備えている。このピニオンは、ラック１０と噛み合っている。モーター１２の回転によりピニオンが回転し、クライマー６とデッキ８とが昇降する。モーター１２には、電源１４から、ケーブル１６を介して電力が供給される。この足場２では、設置及び撤去が容易になされうる。この足場２では、日光の遮蔽、眺望の阻害はほとんど生じない。このような足場は、実開昭５７−１４４９７４号公報に開示されている。
【先行技術文献】
【特許文献】
【０００４】
【特許文献１】実開昭５７−１４４９７４号公報
【発明の概要】
【発明が解決しようとする課題】
【０００５】
図１４に示された昇降式足場２では、デッキ８が上昇するときにリール１８からケーブル１６が繰り出される必要がある。デッキ８が下降するとき、ケーブル１６がリール１８に巻き取られる必要がある。ケーブル１６の繰り出し及び巻き取りは、煩雑な作業である。デッキ８の昇降時、作業者は、クライマー６及びデッキ８がケーブル１６を傷つけないように注意を払わなければならない。従って、この昇降作業は、作業者にとって手間がかかる。デッキ８の上昇に伴い、吊り下げ状態にあるケーブル１６の長さが徐々に増し、クライマー６にかかるケーブル１６の質量が徐々に増す。この足場２では、デッキ８の移動距離に応じてモーター１２への負荷が変動する。さらにこの足場２は、電源１４がない工事現場では使用され得ない。この足場２には、改善の余地がある。
【０００６】
本発明の目的は、電源がない場所でも使用でき、しかも作業性に優れた移動式足場の提供にある。
【課題を解決するための手段】
【０００７】
本発明に係る移動式足場は、
（１）実質的に鉛直方向に延びるマスト、
（２）モーターを備えており、このモーターの回転によってマストに対して昇降するクラ  イマー、
（３）実質的に水平方向に延びており、クライマーに連結されており、このクライマーと  共に昇降するデッキ
及び
（４）クライマーと共に昇降する発電機
を備える。モーターは、発電機から供給される電力によって駆動する。
【０００８】
好ましくは、この足場は、発電機を遠隔操作するためのコントロールボックスをさらに備える。
【０００９】
好ましくは、この足場は、クライマーに連結された架台をさらに備える。この架台に、発電機が載置される。この架台は、トラス構造を有する。好ましくは、架台は、クライマーの上方及び下方のいずれにも取り付けられうる形状を有する。
【発明の効果】
【００１０】
本発明に係る昇降式足場では、発電機から供給される電力によってモーターが駆動する。従って、電源（コンセント）のない工事現場でも、この足場は用いられうる。発電機はクライマーと共に昇降するので、この発電機とモーターとを接続するケーブルの距離は、一定でありかつ短い。この足場には、作業者が長いケーブルを扱うことに起因する煩わしさがない。
【図面の簡単な説明】
【００１１】
【図１】図１は、本発明の一実施形態に係る昇降式足場が示された正面図である。
【図２】図２は、図１の足場が示された右側面図である。
【図３】図３は、図１の足場のマストがフリーギアと共に示された拡大平面図である。
【図４】図４（ａ）は図１の足場のクライマーが示された拡大平面図であり、図４（ｂ）は図４（ａ）のクライマーが示された正面図である。
【図５】図５は、図４のクライマーの一部がラックの一部と共に示された拡大背面図である。
【図６】図６（ａ）は図１の足場の架台が示された正面図であり、図６（ｂ）は図６（ａ）の架台が示された右側面図である。
【図７】図７は、図１の足場の配線が示されたブロック図である。
【図８】図８は、図１の足場の一部が示された拡大正面図である。
【図９】図９は、図８の足場が示された右側面図である。
【図１０】図１０は、本発明の他の実施形態に係る移動式足場の一部が示された正面図である。
【図１１】図１１は、図１０の足場が示された右側面図である。
【図１２】図１２は、本発明のさらに他の実施形態に係る移動式足場の一部が示された正面図である。
【図１３】図１３は、図１２の足場が示された右側面図である。
【図１４】図１４は、従来の昇降式足場が示された正面図である。
【発明を実施するための形態】
【００１２】
以下、適宜図面が参照されつつ、好ましい実施形態に基づいて本発明が詳細に説明される。
【００１３】
図１及び２に示された移動式足場２０は、ベース２２、アウトリガー２４、ジャッキ２６、マスト２８、クライマー３０、デッキ３２、架台３４及び発電機３６を備えている。
【００１４】
ベース２２は、地面Ｇに載置されている。このベース２２は、アウトリガー２４及びジャッキ２６により、地面Ｇに堅固に固定されている。このベース２２から、マスト２８が起立している。
【００１５】
マスト２８は、鉛直方向に延在している。図１では、１本のマスト２８が示されている。２以上のマスト２８の間にデッキ３２が架けられてもよい。図４に示されるように、マスト２８の平面形状は実施的に矩形である。マスト２８が、三角形の平面形状を有してもよい。
【００１６】
図１から３に示されるように、マスト２８は、４本のメインバー３８、多数のサブバー４０、多数の斜めバー４２及びラック４４からなる。これらのバー３８、４０、４２は、角パイプ又はＬ型アングルからなる。メインバー３８は、鉛直方向に延在している。サブバー４０は、水平方向に延在している。斜めバー４２は、水平方向に対して傾斜している。ラック４４は、鉛直方向に延在している。ラック４４は、サブバー４０に固定されている。図１に示されるように、ラック４４は多数の歯４６を備えている。
【００１７】
図４に示されるように、クライマー３０は実質的に箱状である。図４及び５に示されるように、クライマー３０は、メインフレーム４８、ガイドローラ５０、モーター５２、ピニオン５４、フリーギア５６及び配電盤５８を備えている。
【００１８】
ガイドローラ５０は、メインフレーム４８に固定されている。図４（ａ）から明らかなように、ガイドローラ５０の内周面は、マスト２８の表面に当接している。８個のガイドローラ５０が、マスト２８を囲んでいる。これらガイドローラ５０は、マスト２８に対するクライマー３０の、水平方向への移動を規制している。クライマー３０は、マスト２８を抱持している。
【００１９】
モーター５２は、メインフレーム４８に固定されている。このモーター５２に、ピニオン５４が取り付けられている。モーター５２の駆動により、ピニオン５４が回転する。図５に示されるように、ピニオン５４はラック４４と噛合している。フリーギア５６は、メインフレーム４８に取り付けられている。フリーギア５６は、メインフレーム４８に対して回転自在である。フリーギア５６の形状は、ピニオン５４の形状と実質的に同じである。フリーギア５６は、ピニオン５４の上方に位置している。フリーギア５６は、ラック４４と噛合している。フリーギア５６は、ガバナ機構（調速機構）を有している。
【００２０】
デッキ３２は、水平方向に延在している。デッキ３２は、クライマー３０に連結されている。このデッキ３２の上に作業者が載り、作業を行う。
【００２１】
架台３４は、クライマー３０の下端に取り付けられている。取り付けは、図示されないボルトによってなされている。取り付けが、溶接によってなされてもよい。図６に示されるように、架台３４は、メインバー６０と斜めバー６２とを備えている。換言すれば、この架台３４はトラス構造を有している。この架台３４に、発電機３６が載置されている。図１及び２から明らかなように、発電機３６は、その長手方向がデッキ３２の延在方向と一致するように、架台３４に載置されている。
【００２２】
発電機３６は、架台に載置されている。発電機３６として、ディーゼルエンジンタイプ、ガソリンエンジンタイプ、ガスエンジンタイプ、ガスタービンタイプ、燃料電池タイプ等が用いられうる。発電機３６が、デッキ３２に載置されてもよい。
【００２３】
図７に示されるように、配電盤５８には発電機３６及びモーター５２が接続されている。この発電機３６には、コントロールボックス６４（後に詳説）が接続されている。発電機３６とコントロールボックス６４との接続は、有線でもよく、無線でもよい。発電機３６からは、電力が配電盤５８に向けて供給される。この電力は、さらにモーター５２に向けて供給される。
【００２４】
この足場２０では、図８に示されるように、作業者Ｍがコントロールボックス６４を操作する。このコントロールボックス６４は、ケーブル６６を介して発電機３６に接続されている。作業者Ｍは、コントロールボックス６４の操作により、発電機３６を起動させる。作業者Ｍはさらに、配電盤５８を操作してモーター５２（図９参照）を正回転させる。モーター５２の正回転により、ピニオン５４（図５参照）が正回転する。前述の通り、ピニオン５４はラック４４と噛合しているので、ピニオン５４の回転によりクライマー３０が上昇する。このとき、フリーギア５６も正回転する。クライマー３０の上昇により、デッキ３２、架台３４及び発電機３６も上昇する。
【００２５】
デッキ３２が所望の位置まで上昇すると、作業者Ｍは、配電盤５８を操作してモーター５２を停止させる。さらに作業者Ｍは、コントロールボックス６４を操作して発電機３６を停止させる。作業者Ｍは、デッキ３２の上で作業を行う。作業中、発電機３６は停止しているので、発電機３６による騒音は生じない。
【００２６】
作業が終了すると、作業者Ｍは、コントロールボックス６４を操作して発電機３６を起動させる。作業者Ｍはさらに、配電盤５８を操作してモーター５２を逆回転させる。モーター５２の逆回転により、ピニオン５４が逆回転する。ピニオン５４の逆回転により、クライマー３０が下降する。このとき、フリーギア５６も逆回転する。クライマー３０の下降により、デッキ３２、架台３４及び発電機３６も下降する。
【００２７】
前述の通り、フリーギア５６はガバナ機構を有している。何らかの理由により、クライマー３０が意図されたよりも速い速度で降下した場合、フリーギア５６が下降を減速（又は停止）させる。
【００２８】
この足場２０では、発電機３６から供給される電力によってモーター５２が駆動する。従って、電源（コンセント）のない工事現場でも、この足場２０は用いられうる。発電機３６はクライマー３０と共に昇降するので、この発電機３６と配電盤５８（又はモーター５２）とを接続するケーブルの距離は、一定でありかつ短い。この足場２０では、作業者Ｍが長いケーブルを扱うことに起因する煩わしさがない。
【００２９】
図８から明らかなように、発電機３６は作業者Ｍよりも下方に位置する。この発電機３６は、ケーブル６６及びコントロールボックス６４によって遠隔操作される。従って、発電機３６が作業者Ｍよりも下方に位置しても、操作に支障はない。
【００３０】
図１０及び１１には、本発明の他の実施形態に係る移動式足場６８が示されている。この足場６８は、架台７０を備えている。この足場６８の、架台７０以外の部材の構成は、図１から９に示された足場２０のそれと同等である。
【００３１】
この架台７０は、図６に示された架台３４と同様、トラス構造を有している。この架台７０は、クライマー３０の上端に取り付けられている。発電機３６は、架台７０に載置されている。発電機３６の長手方向は、デッキ３２の延在方向と直交している。
【００３２】
図１１において符号Ｌ２で示されているのは、発電機３６の重心までの、マスト２８からの距離である。図９と図１１との対比から明らかなように、距離Ｌ２は距離Ｌ１よりも小さい。従って、クライマー３０にかかる、発電機３６に起因したモーメントは、小さい。
【００３３】
図１１において符号Ｈ２で示されているのは、クライマー３０が最も下降したときの、デッキ３２の上面までの地面Ｇからの距離である。図９と図１１との対比から明らかなように、距離Ｈ２は距離Ｈ１よりも小さい。従って、作業者Ｍは、地面Ｇからデッキ３２に容易に載ることができる。さらに作業者Ｍは、地面Ｇからデッキ３２に、容易に資材を載せることができる。
【００３４】
架台７０は、図６に示された架台３４の形状が上下反転した形状を有する。換言すれば、同じタイプの架台が、クライマー３０の上端にも下端にも、取り付けられうる。用途に応じ、取り付け位置が決定されうる。
【００３５】
図１２及び１３には、本発明のさらに他の実施形態に係る移動式足場７２が示されている。この足場７２は、架台７４を備えている。この足場７２の、架台７４以外の部材の構成は、図１から９に示された足場２０のそれと同等である。
【００３６】
図１３に示されるように、この架台７４は、メインバー７６と斜めバー７８とを備えている。メインバー７６は、クライマー３０の上端に取り付けられている。斜めバー７８の一端はメインバー７６に固定されており、他端はクライマー３０の下端に固定されている。この架台７４は、トラス構造を有している。発電機３６は、架台７４に載置されている。発電機３６の長手方向は、デッキ３２の延在方向と一致している。
【００３７】
図１３において符号Ｌ３で示されているのは、発電機３６の重心までの、マスト２８からの距離である。図１１と図１３との対比から明らかなように、距離Ｌ３は距離Ｌ２よりも小さい。従って、クライマー３０にかかる、発電機３６に起因したモーメントは、極めて小さい。
【００３８】
図１３において符号Ｈ３で示されているのは、クライマー３０が最も下降したときの、デッキ３２の上面までの地面Ｇからの距離である。図９と図１３との対比から明らかなように、距離Ｈ３は距離Ｈ１よりも小さい。従って、作業者Ｍは、地面Ｇからデッキ３２に容易に載ることができる。さらに作業者Ｍは、地面Ｇからデッキ３２に、容易に資材を載せることができる。
【産業上の利用可能性】
【００３９】
本発明に係る昇降式足場は、建物の新築及び解体にも用いられうる。この足場は、煙突、橋脚等にも設置されうる。
【符号の説明】
【００４０】
２０、６８、７２・・・昇降式足場
２８・・・マスト
３０・・・クライマー
３２・・・デッキ
３４、７０、７４・・・架台
３６・・・発電機
４４・・・ラック
４６・・・歯
４８・・・メインフレーム
５０・・・ガイドローラ
５２・・・モーター
５４・・・ピニオン
５６・・・フリーギア
５８・・・配電盤
６４・・・コントロールボックス
【図１】
2010270434.tif 000003
【図２】
2010270434.tif 000004
【図３】
2010270434.tif 000005
【図４】
2010270434.tif 000006
【図５】
2010270434.tif 000007
【図６】
2010270434.tif 000008
【図７】
2010270434.tif 000009
【図８】
2010270434.tif 000010
【図９】
2010270434.tif 000011
【図１０】
2010270434.tif 000012
【図１１】
2010270434.tif 000013
【図１２】
2010270434.tif 000014
【図１３】
2010270434.tif 000015
【図１４】
2010270434.tif 000016